(57)【要約】【課題】空気調和機に接続されるオプション機器が接続されているか否かを検出し、接続されていないと検出した場合は、その空気調和機本体の運転による不具合を防止するため、その運転を強制停止する。【解決手段】本体１の動作を制御する制御装置２が設置され、本体１の右側に、ドレンポンプ装置４が配置されており、その内部の左側面部には、ドレンポンプ制御装置４５が設置されている。本体１内に設置された制御装置２と、ドレンポンプ装置４内に設置されたドレンポンプ制御装置４５は、通信線６によって着脱可能に接続されている。【選択図】図１
2010065887.tif 000002
【特許請求の範囲】
【請求項１】
熱交換器と、
前記熱交換器を内蔵した本体と、
前記熱交換器を制御する制御部と、
本体にオプションとして接続され、前記制御部を遠隔制御するオプション機器と、
を備え、
前記制御部は、前記オプション機器が前記本体に接続されているか否かを検出する接続有無検出手段を有する
ことを特徴とする空気調和機。
【請求項２】
前記制御部は、前記接続有無検出手段が、前記オプション機器が前記本体に接続されていないことを検出した場合、前記本体の運転を強制停止させる
ことを特徴とする請求項１記載の空気調和機。
【請求項３】
前記接続有無検出手段が、前記オプション機器が前記本体に接続されていないことを検出した場合、前記本体の運転が継続するか、又は、強制停止するかを選択することができる運転選択手段を備え、
前記制御部は、前記運転選択手段が前記本体の運転の強制停止を選択した場合、前記本体の運転を強制停止させる
ことを特徴とする請求項１記載の空気調和機。
【請求項４】
前記運転選択手段は、スイッチ又はジャンパーで構成される
ことを特徴とする請求項３記載の空気調和機。
【請求項５】
前記オプション機器の過去の接続履歴情報を記憶する接続履歴記憶手段を備え、
前記制御部は、前記接続有無検出手段が、前記オプション機器が前記本体に接続されていないことを検出した場合、前記接続履歴情報に基づいて、前記本体の運転を継続させるか、又は、強制停止するかを判断する
ことを特徴とする請求項１記載の空気調和機。
【請求項６】
前記接続有無検出手段が、前記オプション機器が前記本体に接続されていないと検出した場合、前記本体の運転が継続するか、又は、強制停止するかの選択を決定付ける情報を記憶する強制運転停止処理実施モード記憶手段を備え、
前記制御部は、
前記オプション機器が所定の装置であると判定した場合、前記強制運転停止処理実施モード記憶手段に記憶されている内容を書き換え、
前記接続有無検出手段が、前記オプション機器が前記本体に接続されていないことを検出した場合、前記強制運転停止処理実施モード記憶手段に記憶されている内容に基づいて、前記本体の運転を継続させるか、又は、強制停止させるかを決定する
ことを特徴とする請求項１記載の空気調和機。
【請求項７】
前記接続有無検出手段が、前記オプション機器が前記本体に接続されていないと検出した場合、前記本体の運転が継続するか、又は、強制停止するかの選択を決定付ける情報を記憶する強制運転停止処理実施モード記憶手段と、
前記オプション機器の過去の接続履歴情報を記憶する接続履歴記憶手段と、
を備え、
前記制御部は、
前記接続履歴情報に基づいて、前記強制運転停止処理実施モード記憶手段に記憶されている内容を書き換え、
前記接続有無検出手段が、前記オプション機器が前記本体に接続されていないことを検出した場合、前記強制運転停止処理実施モード記憶手段に記憶されている内容に基づいて、前記本体の運転を継続させるか、又は、強制停止させるかを決定する
ことを特徴とする請求項１記載の空気調和機。
【請求項８】
前記制御部が、前記本体の運転を強制停止させている場合、音声又は表示によって使用者に報知する報知手段を備える
ことを特徴とする請求項２〜請求項７のいずれかに記載の空気調和機。
【請求項９】
前記オプション機器が、ドレンポンプ装置である
ことを特徴とする請求項１〜請求項８のいずれかに記載の空気調和機。
【発明の詳細な説明】
【技術分野】
【０００１】
本発明は、オプション機器の接続有無を検出する空気調和機に関するものである。
【背景技術】
【０００２】
従来の空気調和機において、オプションとして空気清浄機が取り付けられ、その空気清浄機の高圧電源ユニットに電源を供給するドアスイッチ、そして、そのドアスイッチが開閉検知をする吸い込みグリルを備えるものがある。この空気調和機と、空気清浄機の高圧電源ユニットは、信号線によって接続されており、高圧電源ユニットが接続されているか否かを検知でき、また、ドアスイッチによって吸い込みグリルの開閉状態が検知できる（特許文献１参照）。
【０００３】
【特許文献１】特開平０６−０７４４８１号公報（第４頁、図２）
【発明の開示】
【発明が解決しようとする課題】
【０００４】
しかし、このような従来の空気調和機においては、オプション機器である空気清浄機との接続状態を検知することはできるが、その接続状態の異常が発生しても、空気清浄機が有する集塵部による集塵機能が作動しないまま、空気調和機は運転を継続してしまう。このとき、次の保守点検時に、集塵部が全く汚れていないことが分かり、ユーザーからクレームが付くという問題点がある。
また、例えば、オプション機器がドレンポンプ装置である場合、空気調和機とドレンポンプ装置との間を接続した通信線の断線やそのコネクタ外れにより通信が行えない状態に至った場合は、ドレンポンプ装置から空気調和機に対する運転停止の指示信号が伝わらないまま、空気調和機が運転を継続してしまうため、ドレン水が溢れ、ユーザーの家財に多大な損害を与えてしまうという問題点もある。
【０００５】
本発明は、上記のような問題を解決するためになされたものであり、第一の目的は、空気調和機に接続されるオプション機器が接続されているか否かを検出し、断線等で接続されていないと判断された場合は、オプション機器が接続されていない状態での空気調和機の運転による不具合を防止するため、その運転を強制停止する空気調和機を得るものである。
また、第二の目的は、オプション機器が断線等で接続されていないと判断された場合、空気調和機を強制停止させるか否かを選択することができる空気調和機を得るものである。
【課題を解決するための手段】
【０００６】
本発明に係る空気調和機は、熱交換器と、前記熱交換器を内蔵した本体と、前記熱交換器を制御する制御部と、本体にオプションとして接続され、前記制御部を遠隔制御するオプション機器と、を備え、前記制御部は、前記オプション機器が前記本体に接続されているか否かを検出する接続有無検出手段を有することを特徴とする。
【発明の効果】
【０００７】
本発明に係る空気調和機は、通信線の接続コネクタのはずれ、通信線の断線、又は、オプション機器の故障等が発生した場合に、空気調和機本体の運転を強制停止することによって水漏れ不具合を防止することが可能となり、使用者に対して高品質な空気調和機を提供することができる。
【発明を実施するための最良の形態】
【０００８】
実施の形態１．
図１は、本発明の実施の形態１に係る空気調和機の全体構成図であり、図２は、その空気調和機を構成するドレンポンプ装置の内部詳細図である。
実施の形態１に係る空気調和機の本体１の内部右側に、その本体１の動作を制御する制御装置２が設置されており、本体１の内部の略中央部には、本体１内部に導入される空気を冷却又は加熱する熱交換器３が設置されている。また、本体１の右側に、オプション機器であるドレンポンプ装置４が配置されており、その本体１とドレンポンプ装置４は、ドレンホース５によって着脱可能に連結されている。そして、本体１の前面には、使用者に本体１の動作状況等の情報を報知する表示器７が取り付けられている。
また、ドレンポンプ装置４の内部の底部には、ドレン水を貯水するためのドレンパン４１が設置されており、その上部にドレンパン４１に貯まった水を排水させるドレンポンプ４２が設置されている。そのドレンポンプ４２には、ドレンポンプ装置４の外側まで延びた排水ホース４３が取り付けられている。また、ドレンパン４１には、そこに貯まった水の水位を検出するための水位センサー４４が備えられている。そして、ドレンポンプ装置４内部の左側面部には、ドレンポンプ装置４の動作の制御をするドレンポンプ制御装置４５が設置されている。
そして、本体１内に設置された制御装置２と、ドレンポンプ装置４内に設置されたドレンポンプ制御装置４５は、通信線６によって着脱可能に接続されている。
【０００９】
実施の形態１に係る空気調和機が、例えば、冷房運転をしている場合、ファン（図示せず）が駆動され、吸引口（図示せず）から本体１内部に空気が導入される。その導入された空気は、冷媒によって冷却された熱交換器３に接触して熱交換され、冷風として吹出口（図示せず）から冷房対象室内へと吹き出される。このとき、熱交換器３において、そこに接触して通過する空気が熱交換されることによって、その空気に含まれていた水分が結露して水滴が付着し、ドレン水が発生する。このドレン水は、ドレンホース５を通り、ドレンポンプ装置４内のドレンパン４１に貯水される。このとき、ドレンポンプ装置４のドレンポンプ制御装置４５は、本体１の運転状態を、通信線６を介して、監視しており、本体１の冷房又はドライ運転の開始と同期して、ドレンポンプ４２を駆動する。ドレンパン４１に貯水されたドレン水は、このドレンポンプ４２によって汲み上げられて、排水ホース４３を通して外部に排水される。また、ドレンパン４１に設置された水位センサー４４は、貯水されたドレン水の水位を検出する。このドレン水の水位が、所定の基準水位を超えた場合、その水位の検出結果を受信したドレンポンプ制御装置４５は、ドレンポンプ４２の故障や排水ホース４３のつまり等が発生していると判断し、ドレン水がドレンパン４１から溢れるのを未然に防止するために、通信線６を介して、本体１内の制御装置２に運転停止の指示信号を送信する。この指示信号を受信した制御装置２は、本体１の運転を停止する。なお、この運転停止の信号の伝送については、ＪＥＭＡ（社団法人日本電機工業会）におけるＪＥＭ規格のＪＥＭ１４２７（ＨＡ端子（ＪＥＭ−Ａ））で規定されている汎用性の高い信号が用いられることが多い。
【００１０】
図３は、実施の形態１に係る空気調和機における通信状態を判定する動作のフローチャートである。
まず、制御装置２は、オプション機器であるドレンポンプ装置４が本体１と接続されているか否かについて、通信線６を介して、ドレンポンプ装置４内に設置されているドレンポンプ制御装置４５との通信の確認を実施する（Ｓ１）。この通信の確認の結果、制御装置２が、通信が正常であると判定した場合は、ドレンポンプ装置４を使用したドレン水の排水動作が実施される。また、制御装置２が、通信が途絶えること等により異常であると判定した場合は、通信線６の接続コネクタのはずれ、通信線６の断線、又は、ドレンポンプ制御装置４５の故障等が発生していると判断し、本体１の運転を強制停止させ、その通信が回復するまでは、運転を禁止させる（以下、この処理を強制運転停止処理と呼ぶ）（Ｓ２）。
【００１１】
以上の構成及び動作によって、ドレンパン４１に備えられた水位センサー４４が所定の基準を超えた水位を検出した場合に本体１の運転を停止させるのに加え、通信線６の接続コネクタのはずれ、通信線６の断線、又は、ドレンポンプ制御装置４５の故障等が発生した場合に、強制運転停止処理が実施されることによって水漏れ不具合を防止することが可能となり、使用者に対して高品質な空気調和機を提供することができる。
【００１２】
なお、この強制運転停止処理の実施時に本体１の運転が停止していることが、表示器７による表示、又は、音声手段（図示せず）による音声によって使用者に報知されるものとしてもよい。
また、上記ではオプション機器としてドレンポンプ装置４が本体１に接続される場合について説明されているが、ドレンポンプ装置４に限らず、本体１との通信に異常がある場合に強制運転停止処理が必要であるその他のオプション機器であってもよい。
【００１３】
実施の形態２.
図４は、実施の形態２に係る空気調和機における通信状態を判定する動作のフローチャートである。以下、実施の形態２に係る空気調和機において、前述の実施の形態１のものと相違する内容を中心に説明する。
実施の形態１に係る空気調和機においては、オプション機器であるドレンポンプ装置４が接続されなくても、熱交換器３に付着したドレン水は、本体１内部に形成された自然勾配によって本体１から直接、外部に排水させることが可能である。従って、実施の形態１に係る空気調和機が据え付けられる物件の構造によって、その自然勾配が形成されることが容易であれば、ドレンポンプ装置４が取り付けられる必要はない。このとき、ドレンポンプ装置４が取り付けられない場合は、前述の強制運転停止処理が実施される必要がない。そこで、実施の形態２に係る空気調和機においては、図１における本体１内に設置された制御装置２に、制御装置２によって強制運転停止処理が実施されるかどうかの選択が可能なスイッチ（図示せず）が備えられている。この実施の形態２に係る空気調和機においては、例えば、そのスイッチがＯＮの場合、ドレンポンプ装置４が使用される設定、そして、ＯＦＦの場合、ドレンポンプ装置４が使用されない設定であるとする。
まず、制御装置２は、オプション機器であるドレンポンプ装置４が本体１と接続されているか否かについて、通信線６を介して、ドレンポンプ装置４内に設置されているドレンポンプ制御装置４５との通信の確認を実施する（Ｓ１１）。この通信の確認の結果、制御装置２が、通信が正常であると判定した場合は、ドレンポンプ装置４を使用したドレン水の排水動作が実施される。また、制御装置２が、通信が途絶えること等により異常であると判定した場合、続いて、制御装置２に備えられたスイッチの設定状態を判定する（Ｓ１２）。その判定の結果、制御装置２が、そのスイッチの設定がＯＦＦであると判定した場合、強制運転停止処理を実施する必要がないと判断し、本体１の運転を継続する。また、設定がＯＮであると判定した場合、その通信が異常であるのは、通信線６の接続コネクタのはずれ、通信線６の断線、又は、ドレンポンプ制御装置４５の故障等によるものであると判断し、強制運転停止処理を実施する（Ｓ１３）。
【００１４】
以上の構成及び動作のように、強制運転停止処理が実施されるかどうかが選択可能なスイッチが備えられることによって、使用者は、オプション機器との通信に異常がある場合に、空気調和機本体の運転を強制停止させるか、あるいは、継続させるかを選択することが可能となり、空気調和機の利便性を向上させることができる。上記の実施の形態２のように、オプション機器がドレンポンプ装置４である場合には、ドレンポンプ装置４を使用してドレン水を排水させる場合と、ドレンポンプ装置４を使用せず本体１から直接排水させる場合とを選択することが可能になる。
【００１５】
なお、上記の動作において、制御装置２に備えられたスイッチが、ＯＮの場合ドレンポンプ装置４が使用されない設定、そして、ＯＦＦの場合ドレンポンプ装置４が使用される設定としてもよく、又は、その他のスイッチの切り替えによる方法によって、選択されるものとしてもよい。
また、上記の構成においては、スイッチは制御装置２に備えられているが、これに限らず、本体１のどの部分に設けられてもよく、その場合には、スイッチの設定状態が、制御装置２によって検出されるものとすればよい。
また、上記の構成においては、制御装置２によって強制運転停止処理が実施されるか否かを選択する手段として、スイッチが備えられているが、それに限らず、ジャンパー線等が備えられ、その短絡状態によって選択されるものとしてもよい。
そして、上記のステップＳ１２においては、スイッチの設定によって、強制運転停止処理が実施されるか否か選択されているが、それに限らず、次にような方法でその選択がなされてもよい。すなわち、制御装置２に設置された、あるいは、制御装置２の外部に設置され制御装置２と電気的に接続された不揮発性メモリを設置し、その不揮発性メモリに、過去のオプション機器の接続履歴情報が記憶されるものとし、制御装置２は、その接続履歴情報に基づいて、強制運転停止処理を実施するか否かを選択するものとしてもよい。
【００１６】
実施の形態３.
図５は、実施の形態３に係る空気調和機における強制運転停止をさせるか否かを自動判別する動作のフローチャートであり、図６は、実施の形態３に係る空気調和機における通信状態を判定する動作のフローチャートである。以下、実施の形態３に係る空気調和機において、前述の実施の形態１及び実施の形態２のものと相違する内容を中心に説明する。
制御装置２には不揮発性メモリ（図示せず）が備えられており、強制運転停止処理実施モードのＯＮ／ＯＦＦ情報を記憶している。ここで、強制運転停止処理実施モードとは、ドレンポンプ装置４等のオプション機器が本体１に取り付けられた場合に、制御装置２が、オプション機器との通信において、通信線６の接続コネクタのはずれ、通信線６の断線、又は、オプション機器の故障等によって、その通信が異常であると判定した場合（後述のＳ３１）には、強制運転停止処理を実施する（後述のＳ３３）という動作モードである。また、本体１には不揮発性メモリに記憶されている前記の強制運転停止処理実施モード情報をクリアするモードクリアスイッチ（図示せず）が設置されている。
【００１７】
以下に、図５を参照しながら強制運転停止をさせるか否かを自動判別する動作フローについて説明する。
制御装置２は、オプション機器であるドレンポンプ装置４との通信について、常時送受信待機状態としている。このドレンポンプ装置４が取り付けられ、本体１及びドレンポンプ装置４双方に電源が入れられると、本体１に設置された制御装置２とドレンポンプ装置４に設置されたドレンポンプ制御装置４５との定時通信が開始される。
まず、制御装置２は、不揮発性メモリに記憶された強制運転停止処理実施モード情報のＯＮ／ＯＦＦ状態を参照する（Ｓ２１）。その参照された強制運転停止処理実施モード情報がＯＮである場合、制御装置２は、強制運転停止処理実施モードで動作させる必要のあるオプション機器が本体１に接続されていると判断し、強制運転停止処理実施モード情報はそのままの状態で処理を終了する。また、強制運転停止処理実施モード情報がＯＦＦである場合、制御装置２は、オプション機器であるドレンポンプ装置４が本体１と接続されているか否かについて、通信線６を介して、ドレンポンプ装置４内に設置されているドレンポンプ制御装置４５との通信の確認を実施する（Ｓ２２）。この通信の確認の結果、制御装置２が、通信が正常であると判定した場合は、続いて、そのオプション機器が、ドレンポンプ装置４であるか否かを判定する（Ｓ２３）。その判定の結果、オプション機器がドレンポンプ装置４であると判定された場合、そのオプション機器であるドレンポンプ装置４との通信が異常となった場合は、強制運転停止処理が実施される必要があるので、制御装置２は、不揮発性メモリの強制運転停止処理実施モード情報をＯＮに記憶する（Ｓ２４）。また、ステップＳ２３において、オプション機器がドレンポンプ装置４でないと判定された場合、強制運転停止処理実施モード情報はそのままの状態で処理が終了する。一方、ステップＳ２２において、制御装置２が、その通信が異常であると判定した場合、強制運転停止処理実施モード情報はそのままの状態で処理を終了する。また、本体１の移設等により、ドレンポンプ装置４の取り付けが不要になることも考慮し、使用者が、本体１に備えられているモードクリアスイッチを操作することによって、不揮発性メモリに記憶されている強制運転停止処理実施モード情報をクリア、すなわち、ＯＦＦに書き換えることができる。
【００１８】
次に、図６を参照しながら、実施の形態３に係る空気調和機の動作フローについて説明する。
まず、制御装置２は、オプション機器であるドレンポンプ装置４が本体１と接続されているか否かについて、通信線６を介して、ドレンポンプ装置４内に設置されているドレンポンプ制御装置４５との通信の確認を実施する（Ｓ３１）。この通信の確認の結果、制御装置２が、通信が正常であると判定した場合は、ドレンポンプ装置４を使用したドレン水の排水動作が実施される。また、制御装置２が、通信が途絶えること等により異常であると判定した場合、続いて、不揮発性メモリに記憶された強制運転停止処理実施モード情報のＯＮ／ＯＦＦ状態を参照する（Ｓ３２）。その参照された強制運転停止処理実施モード情報がＯＦＦである場合、制御装置２は、強制運転停止処理を実施する必要がないと判断し、本体１の運転を継続する。また、参照された強制運転停止処理実施モード情報がＯＮである場合、制御装置２は、その通信が異常であるのは、通信線６の接続コネクタのはずれ、通信線６の断線、又は、ドレンポンプ制御装置４５の故障等によるものであると判断し、強制運転停止処理を実施する（Ｓ３３）。
【００１９】
以上の構成及び動作によって、本体１とオプション機器との通信に異常がある場合、強制運転停止処理を実施するか否かを自動で判別することが可能となる。
また、その自動判別によって、スイッチ又はジャンパー線の設定忘れによる水漏れ不具合を防止することができるだけでなく、そのスイッチ又はジャンパー線を実装する必要がなくなり、安価で高品質な空気調和機を提供することが可能となる。
そして、ステップＳ２４によって不揮発性メモリに強制運転停止処理実施モード情報を記憶させておくことによって、不測の停電からの復帰時にも、ステップＳ２１における不揮発性メモリの内容の参照によって、ステップＳ２２及びステップＳ２３の判定結果を継続させることができる。
【００２０】
なお、不揮発性メモリは、制御装置２に搭載されている必要はなく、制御装置２の外部に設置され、制御装置２が情報を参照できるように電気的に接続されている構成としてもよい。
また、上記のステップＳ２３においては、制御装置２は、オプション機器がドレンポンプ装置４であるか否かを判定しているが、ドレンポンプ装置４のみに限らず、本体１との通信に異常がある場合、強制運転停止処理を実施する必要があるその他のオプション機器であるか否かについても判定するものとしてもよい。
そして、上記のステップＳ２３においては、制御装置２は、オプション機器がドレンポンプ装置４であるか否かを判定しているが、それに代えて、あるいは、それに加えて、次のように判定するものとしてもよい。すなわち、過去のオプション機器の接続履歴情報が不揮発性メモリに記憶されるものとし、制御装置２は、その接続履歴情報に基づいて、不揮発性メモリに記憶された強制運転停止処理実施モード情報をＯＮに書き換えるものとしてもよい。
【産業上の利用可能性】
【００２１】
本発明は、ドレンポンプ装置のみならず、例えば、デマンド制御のように、ユーザーの操作よりも外部からの遠隔制御を優先的に行う空調システムにおいても有効である。
【図面の簡単な説明】
【００２２】
【図１】本発明の実施の形態１に係る空気調和機の全体構成図である。
【図２】本発明の実施の形態１に係る空気調和機を構成するドレンポンプ装置の内部詳細図である。
【図３】本発明の実施の形態１に係る空気調和機における通信状態を判定する動作のフローチャートである。
【図４】本発明の実施の形態２に係る空気調和機における通信状態を判定する動作のフローチャートである。
【図５】本発明の実施の形態３に係る空気調和機における強制運転停止をさせるか否かを自動判別する動作のフローチャートである。
【図６】本発明の実施の形態３に係る空気調和機における通信状態を判定する動作のフローチャートである。
【符号の説明】
【００２３】
１  本体、２  制御装置、３  熱交換器、４  ドレンポンプ装置、５  ドレンホース、６  通信線、７  表示器、４１  ドレンパン、４２  ドレンポンプ、４３  排水ホース、４４  水位センサー、４５  ドレンポンプ制御装置。
【図１】
2010065887.tif 000003
【図２】
2010065887.tif 000004
【図３】
2010065887.tif 000005
【図４】
2010065887.tif 000006
【図５】
2010065887.tif 000007
【図６】
2010065887.tif 000008